(57)【特許請求の範囲】
【請求項１】
並列に配設された複数の遊技機と、
故障予防検出装置を設け、前記遊技機上に架設された水平搬送装置と、
前記遊技機の下部に配設されたパチンコ玉貯溜・搬送装置と、
前記水平搬送装置とパチンコ玉貯溜・搬送装置との間でパチンコ玉を循環させる研磨搬送装置とを備えた遊技機島において、
前記水平搬送装置は、水平に配設された嵌合プレートの長手方向に沿って嵌合させた複数の回転ディスクの回転が、これらの回転ディスクの回転軸に固定された伝達ギアおよび隣設する前記伝達ギア間に配置されたアイドルギアを介して上流側より下流側に順次伝達されることによって、この装置内に供給されたパチンコ玉が搬送されるように構成されるとともに、
前記故障予防検出装置は、前記回転ディスクの回転数を検出する回転数検出センサーと、前記回転ディスクを駆動するモータの負荷を検出する負荷検出センサーとにより構成され、前記回転数検出センサーが前記回転ディスクの回転数が定常値以下の低下を検出するか、前記負荷検出センサーが前記駆動モータの所定トルク以上のトルクを検出したときは、該遊技機島に設けた表示部に異常警告が表示され、
前記回転数検出センサーは、前記水平搬送装置の最も下流に位置する回転ディスクに対して設けられることを特徴とする、遊技機島。
【発明の詳細な説明】
【技術分野】
【０００１】
本発明は、パチンコ玉を遊技機に搬送供給するための水平搬送装置を備えた遊技機島に関する。
【背景技術】
【０００２】
一般的に、遊技機島に配設されている遊技機にパチンコ玉を搬送供給するための搬送装置は、遊技機島の上方に上流から下流方向に下るように傾斜させて架設し、補給タンクから補給経路内に供給されたパチンコ玉をその傾斜を利用して搬送しながら各々の遊技機に供給していた。しかしながら、遊技機島にこのような傾斜した補給経路を有する搬送装置を架設した場合、遊技機島の上部が高く、しかも大きくなる傾向にある。このことは、パチンコ玉の供給量が多く、また、補給経路が長くなるほど顕著に現れる傾向にある。このため、その高さが防犯カメラ視界の障害となる場合や、遊技場の照明が届かない部分が生じ、必要以上に多くの照明を備えなければならない等の問題点があるばかりか、遊技場の内装設備等の設計自由度が阻害される恐れがあった。
【０００３】
このため、それらの問題点を解決するために、特許第２５１８４９０号（特許文献１）のような構成が開示されている。この構成は、駆動モータ２６（特許文献１中の符号）によって回転駆動される駆動ローラ２２（特許文献１中の符号）と、従動ローラ２３（特許文献１中の符号）と、その間に掛け渡された水平搬送ベルト２１（特許文献１中の符号）によって固定経路部を流下してきたパチンコ玉を搬送するものであった。
【０００４】
そして、この特許文献１おいては、パチンコ機２（特許文献１中の符号）にパチンコ玉を供給するために、補給経路１０（特許文献１中の符号）の側部に分離器４１（特許文献１中の符号）が設けられていた。この分離器４１には、分離器４１に隣設した膨出側壁４４（特許文献１中の符号）によって、水平搬送ベルト２１（特許文献１中の符号）で送られてきたパチンコ玉が振り分けられて供給されていた。
【０００５】
この出願の発明に関連する先行技術文献としては次のものがある。
【特許文献１】特許第２５１８４９０号（特開平６−３９１３６）
【発明の開示】
【発明が解決しようとする課題】
【０００６】
しかしながら、このような従来の水平搬送ベルト２１（特許文献１中の符号）によるパチンコ玉の搬送構造では、遊技機島の上部に補給経路を傾斜して配設した搬送装置に対して、遊技機島の上部が高く、且つ、大きくなる、また、遊技機島が防犯カメラの視界の障害となる、遊技場の内装設備等の設計自由度を阻害する等の問題点は解消されるが、水平搬送ベルト２１（特許文献１中の符号）に不都合が生じた場合にはベルト自体を停止させて修理する必要がある等、装置の保守点検が容易でない場合や、ベルトを張設する部品であるテンションローラ２４（特許文献１中の符号）やベルト支持部材２５（特許文献１中の符号）が必要となり、部品点数が増加してコストアップの要因となる恐れがあった。更に、水平搬送ベルト２１は、駆動ローラ２２（特許文献１中符号）と従動ローラ２３との間に無端状態で掛け渡されている。このためパチンコ玉を搬送している水平搬送ベルト２１（特許文献１中符号）の上側面と、搬送に使用していない下側面が常時存在するため、上下方向のスペースを確保する必要があり、遊技機島の上部の高さを低くするには限度があった。
【０００７】
更に、パチンコ玉は、樽状のテンションローラ２４（特許文献１中の符号）と板状のベルト支持部材２５（特許文献１中の符号）とを交互に設けて保持されている水平搬送ベルト２１（特許文献１中符号）を経由して補給経路１０（特許文献１中の符号）の側部に形成された玉待機経路部４０（特許文献１中の符号）に転出された後に膨出側壁４４（特許文献１中符号）によって、分離器４１（特許文献１中符号）に振り分けられていた。従って、パチンコ玉は、水平搬送ベルト２１（特許文献１中の符号）から樽状のテンションローラ２４（特許文献１中の符号）の傾斜面を流れ、一旦玉待機経路部４０（特許文献中１の符号）に転出保留され、その後に、後から搬送されてくるパチンコ玉の押圧力によって分離器４１（特許文１献中符号）へ振り分けられるものであり、このため、パチンコ機２（特許文献１中の符号）の作動状態に対して機敏に対応することが困難であった。
【０００８】
出願人は、それらの問題を解決するためにこれまでに幾つかの発明を成し、それらを水平搬送装置として出願してきた（例えば、出願番号２００３−３９４７２５号）。本発明は、それらの水平搬送装置をより効果的に配設した遊技機島に関するものであり、その目的は、少ない駆動力で水平搬送装置を駆動するとともに、パチンコ玉の循環時間を短縮し遊技機へパチンコ玉を迅速に供給することができ、しかも水平搬送装置の故障を予防的に検出し、遊技機島の運転に対する障害を未然に防止するとともに、保守点検が容易な遊技機島を提供するものである。
【課題を解決するための手段】
【０００９】
上記課題を解決するため、本発明においては、並列に配設された複数の遊技機と、故障予防検出装置を設け、前記遊技機上に架設された水平搬送装置と、前記遊技機の下部に配設されたパチンコ玉貯溜・搬送装置と、前記水平搬送装置とパチンコ玉貯溜・搬送装置との間でパチンコ玉を循環させる研磨搬送装置とを備えたものである。
【００１０】
本発明の遊技機島でのパチンコ玉は、遊技機上に架設された水平搬送装置と、前記遊技機の下部に配設されたパチンコ玉貯溜・搬送装置と、研磨搬送装置との間を循環する。即ち、パチンコ玉は研磨搬送装置の上部に画成された上タンクから水平搬送装置に設けられた水平補給レールに形成されている搬送経路内に供給され、その後、パチンコ玉自身の押圧力及び回転ディスクの回転によって、上タンク側（以下、上流側と称す）から遊技機島端部側（以下、下流側と称す）に搬送され、循環ホースを経由して、遊技機の下部に配設されたパチンコ玉貯溜・搬送装置に送り込まれる。この送り込まれたパチンコ玉は、研磨揚送装置により遊技機島上部に配設された上タンクに補給される。このとき、水平搬送装置に設けられた予防検出装置によって、各装置が故障で停止する以前にその異常を検出し、警告表示を発する。
【００１１】
このことにより、パチンコ玉の循環サイクルを停止させることなく、各装置の異常を予知的に発見することができ、故障への対処を迅速に行なうことができ、遊技店の運営に対する障害を最小限にとどめることができる。
【００１２】
なお、本発明に係る遊技機島は、並列に配設された複数の遊技機と、前記故障予防検出装置を設け、前記遊技機上に架設された水平搬送装置と、前記遊技機の下部に配設されたパチンコ玉貯溜・搬送装置と、を備えた一対のサブユニット島で構成するとともに、該研磨搬送装置を前記サブユニット島間に配設し、前記パチンコ玉を各サブユニット島とパチンコ玉貯溜・搬送装置と前記研磨搬送装置との間で循環させたものである。
【００１３】
このことにより、パチンコ玉の循環距離が短く、循環サイクルも短縮でき、しかも水平搬送装置は、各々のサブユニット島単位で駆動されるため水平搬送装置の駆動力を省力化することができ、しかも各装置の故障による遊技機島の停止等の危険が分散され、また保守・点検・交換も各サブユニット島単位で対応することができるため効率的な運転状態を維持することができる。更に、循環距離、サイクルが短くなることにより、パチンコ玉の供給量が少なくても遊技機への供給に迅速に対応することができる。
【００１４】
また、本発明に係る遊技機島は、前記水平搬送装置に設けた故障予防検出装置と、前記パチンコ玉貯溜・搬送装置ならびに前記研磨搬送装置に設けた故障検出装置とを有する検出システムを設けたものである。
【００１５】
このことにより、水平搬送遊装置に何らかの負荷や障害が加わり、駆動力が低下した状況が故障発生で各装置が停止以前に把握することができ、このことによって、予め運転状況を調整し、故障の発生を未然に防止することができる。また故障発生までの時間を稼ぐことによって、故障への対応準備が可能となる。さらに、故障検出装置により故障の発生と場所等も的確に把握することができる。
【００１６】
更に、本発明に係る遊技機島は、前記故障予防検出装置と故障検出装置の表示を一括表示した表示部を設けたものである。
【００１７】
このことにより、遊技機島全体の状況が一目で確認でき、運転状況、故障の把握、対応等にたいして効率的に対応することができる。
【００１８】
更に、本発明に係る遊技機島は、表示部を液晶タッチパネルで形成したものである。
【００１９】
このことにより、表示部が小型、薄型され、遊技機島の任意の位置に容易に取付けることができ、取付け状態に制限されることが少ない。しかも、検出部を押圧することによって、異常検出部位に相当する被検出部の作動を停止させることができる。
【発明の効果】
【００２０】
以上のように、本発明によれば、並列に配設された複数の遊技機と、故障予防検出装置を設け、前記遊技機上に架設された水平搬送装置と、前記遊技機の下部に配設されたパチンコ玉貯溜・搬送装置と、前記水平搬送装置とパチンコ玉貯溜・搬送装置との間でパチンコ玉を循環させる研磨搬送装置とを備えることによって、パチンコ玉の循環サイクルを停止させることなく、各装置の異常を予知的に発見することができ、故障への対処を迅速に行なうことができ、遊技店の運営に対する障害を最小限にとどめることができる。
【発明を実施するための最良の形態】
【００２１】
以下、本発明を実施するための最良の形態を、図面に基づいて説明する。図１は、本発明の実施例に係わる遊技機島正面図である。図２は、本発明の実施例に係わる遊技機島を示した平面図である。図３は、本発明の実施例に係わる遊技機島を示した側面図である。図４は、本発明の実施例に係わる要部正面図である。図５は、本発明における表示部の一例を示した正面図である。
【００２２】
本発明の遊技機島１００は、一般的には、研磨揚送装置１を島端に配置した構成を採ることが多いが、実施例に於いては、図１に示す様に、研磨揚送装置１に対して、左側（図１において）にサブユニット島Ｌを配設し、右側（図１において）にサブユニット島Ｒを配設する構成を有している。
【００２３】
図１乃至図３に示すように、サブユニット島Ｌ（Ｒ）（以下、サブユニット島Ｒは、サブユニット島Ｌと類似の構成を備えているので説明は省略する。尚、（Ｒ）は、サブユニット島Ｌに対応するサブユニット島Ｒの構成である。）は、中間枠体Ｌ１（Ｒ１）には、複数の遊技機２と、その隣設する遊技機２、２の間に配設されたパチンコ玉貸機３とが交互に並設されている。また、上部枠体Ｌ２（Ｒ２）には、水平補給レール４と、その水平補給レール４の内部に配設された水平搬送装置５とが架設されており、下部枠体Ｌ３（Ｒ３）の内部には、パチンコ玉貯溜・搬送装置６が収納されている。
【００２４】
水平搬送装置５は、複数の回転ディスク５１を嵌合した嵌合プレート５２と、該嵌合プレート５２を取付ける固定プレート５３と、それらを支持する支持プレート５４とを有し、固定プレート５３と支持プレート５４の間に回転ディスク５１の駆動装置５５を配設している。この駆動装置５５は、回転ディスク５１の回転軸５６に固定された伝達ギア５７と、隣設する伝達ギア５７、５７間に配置されたアイドルギア５８とを備え、水平補給レール４の上部に取付けられた駆動モータ７によって回転駆動さる。そして、上タンク１２から水平補給レール４と水平搬送装置５との間に画成された搬送経路４１内に供給されたパチンコ玉８を下流に搬送する。この水平搬送装置５は、遊技機２一台の長さと略同じ長さのブロック状に形成されており、遊技機島１００のサブユニット島Ｌ、またはサブユニット島Ｒの長さに応じて複数個連結して水平搬送部を構成している。従って、サブユニット島Ｌとサブユニット島Ｒを一列に構成することも、長さを変えて構成することも可能である。
【００２５】
パチンコ玉貯溜・搬送装置６は、遊技機２を並設している中間枠体Ｌ１（Ｒ１）の下部に画成された下部枠体Ｌ１（Ｒ１）の内部に収納されていている。例えば、サブユニット島Ｌ（Ｒ）には、下流側から上流側に向かって、貯溜タンク６１、傾斜玉リフタ６２、下タンク６３のーの順に配設され、下タンク６３が研磨揚送装置１に連結されている。このパチンコ玉貯溜・搬送装置６の貯溜タンク６１、傾斜玉リフタ６２、下タンク６３の組合せ、数などもサブユニット島Ｌとサブユニット島Ｒの長さによって変わる場合もある。
【００２６】
研磨揚送装置１は、サブユニット島Ｌとサブユニット島Ｒの間に配設されていて、上部に上タンク１２を設けた縦長の箱形状を成す玉研磨塔１１と、その内部に収納設置された研磨兼揚送機１３とより構成されている。この研磨兼揚送機１３は、一対の無端ベルトの間に塵や埃の他、手垢等の汚れが付着したパチンコ玉を挟持させ、ベルトの回転駆動によりパチンコ玉の汚れをベルト表面で拭い去るように研磨しながら上方へ揚送する公知のものを採用しているので詳細な説明は省略する。
【００２７】
上記の上タンク１２は、図４に示すように、上下に分割されていて、上部にパチンコ玉８の貯溜部１４が、下部にオーバフローシューター１５が画成されている。この貯溜部１４とオーバフローシューター１５とは、オーバーフロー管で連通されている。即ち、貯溜部１４に貯溜されるパチンコ玉８が一定量に達すると、研磨兼揚送機１３からパチンコ玉８が貯溜部１４に搬入されても、オーバーフロー管からオーバフローシューター１５に逃げるように設定されている。従って、貯溜部１４に所定の量以上にパチンコ玉８が貯溜され、上タンク１２から溢れ出るようなことは無い。また、貯溜部１４の両側には、パチンコ玉８の搬送路１７が形成されていて、この搬送路１７からパチンコ玉８を水平搬送装置５に送りこんでいる。更に、オーバーフロー管からオーバフローシューター１５に逃げたパチンコ玉８は、両側に形成された排出口１８から循環ホース１９を介して下タンク６３に還流される。
【００２８】
次に、サブユニット島Ｌ（Ｒ）におけるパチンコ玉８の循環サイクルについて説明する。研磨揚送装置１の上タンク１２に画成された貯溜部１４からから搬送路１７を経由して水平搬送装置５の搬送経路４１に送り込まれたパチンコ玉８は、複数の回転ディスク５１の回転により順次下流に搬送される。この搬送の過程でパチンコ玉８の一部は、補給シュート２１、を経由して、遊技機２、パチンコ玉貸機３に補給される。そして、残りのパチンコ玉８は、搬送経路４１の下流端部に連結された循環ホース６４を介してパチンコ玉貯溜・搬送装置６の貯溜タンク６１に流下され、貯溜タンク６１内に貯溜される。ここに貯溜されたパチンコ玉８は、所望に応じて傾斜玉リフター６２によって汲み上げられ下タンク６３に搬送される。下タンク６３に搬送されたパチンコ玉８は、研磨兼揚送機１３によって研磨されながら上タンク１２に揚送される。揚送されたパチンコ玉８は、貯溜部１４に貯溜され、搬送路１７を経由して水平搬送装置５の搬送経路４１に送り込まれるという循環サイクルを構成する。一方貯溜部１４から溢れたパチンコ玉８は、オーバーフロー管からオーバフローシューター１５、排出口１８、循環ホース１９を介して下タンク６３に還流され、再度研磨兼揚送機１３によって研磨されながら上タンク１２に揚送される。
【００２９】
次に、この発明は、上記の循環サイクルを維持するために、故障の早期発見と対策、保守の効率化のために幾つかの検出センサーから成る検出システム９を構築して、それらを集中管理している。
【００３０】
以下、その検出システム９について詳述する。水平搬送装置５の運転状態を予知検出する故障予防検出装置（回転数検出センサー９１、負荷検出センサー９２）と、各装置の故障を検出するための故障検出装置（公知の循環ホース１９，６４の異常を検出するエンドセンサー９４とオーバーフローセンサー９５、駆動モータ７の駆動有無を検出する駆動モータ検出センサー９６、上下のタンクの異常を検出するタンクセンサー９７，９８等）が各々の被検出部の近傍に設けられている。
【００３１】
故障予防検出装置は、最も下流に位置する回転ディスク５１の回転数を検出する回転数検出センサー９１と、モータの負荷を検出する負荷検出センサー９２より構成され、その検出結果を水平補給レール４の研磨揚送装置１近傍に配置した表示部９３に表示している。例えば、この回転数検出センサー９１は、回転ディスク５１の回転が異常に低下から停止に至る過程で、その異常が発生した場合その状態を検出して表示部９３に異常警告を表示する。また、負荷検出センサー９２は、駆動モータ７の負荷レベルを検出している。即ち、通常は、駆動モータ７を定格トルク以下の低いトルクで回転するように設定しておき、駆動モータ７に定格トルク以上のトルクが加わった場合に表示部９３に異常警告を表示する。これら例えば、回転ディスク５１の回転が異常に低下した場合や、定格トルク以上のトルクが加わった場合でも一般的に駆動モータ７は、停止することはないので、この異常警告が直ちに駆動モータ７の停止を意味するものではないが、異常予知の性格を有するものである。このことによって、水平搬送装置５の異常を機械の停止以前に発見、対応が可能となる。
【００３２】
この他に、各装置には、検出システム９の故障検出装置に類するものとして、公知の循環ホース１９，６４の異常を検出するエンドセンサー９４とオーバーフローセンサー９５、駆動モータ７の駆動有無を検出する駆動モータ検出センサー９６、上下のタンクの異常を検出するタンクセンサー９７，９８等が各々の構成の近傍にもうけられている。そして、それらの検出結果は、前述の回転数検出センサー９１と負荷検出センサー９２と同じ表示部９３に表示される。尚、表示部９３を水平補給レール４の研磨揚送装置１近傍に配置しているが、設ける位置は、特にそこに限定されるものではなく、遊技機島の一部、ホールの一部に設けることも可能である。要するに見やすく、対策が打ち易い場所に設ければよい。
【００３３】
図５は、表示部９３の一例を示したもので、全体として液晶画面のタッチパネル形式に構成されている。表面には、遊技機島を具象化した模様がスクリーン印刷等で描かれており、検出システム９の検出部に相当する部分に表示ランプが設けられている。即ち、回転数検出センサー９１の表示ランプ９１ａが、負荷検出センサー９２の表示ランプ９２ａ、エンドセンサー９４とオーバーフローセンサー９５の表示ランプ９４ａ，９５ａが、また駆動モータ検出センサー９６、上下のタンクの異常を検出するタンクセンサー９７，９８の表示ランプ９６ａ，９７ａ，９８ａが各々配置されている。そして、これらの検出センサーからなる各検出部から送られた信号で表示ランプの部分が点灯したときに、左右の水平搬送装置５を作動させるタッチスイッチ９３ｃ、９３ｄ、９３ｆ、９３ｇを選択して左右の水平搬送装置５を停止、駆動させる。更に、上下タンク１２、６３並びに研磨揚送機１３などに異常が発生した場合には、上下タンクのタンクセンサー９７，９８に相当する表示ボタン９７ａ、９８ａが点灯し、その都度補給搬送用のタッチスイッチ９３ｅを操作して異常事態に対処する。尚、９３ａは、各種検出部を制御するボタンスイッチ、９３ｂは、警告の内容を表示する表示ランプ、９３ｉは、検出等のレベルを表示する表示ランプ、９３は、終了ボタンである。これらの部分を押圧することによって、被検出部の動作を停止させることができる。これらの操作よって、異常検出部位を的確に確認することができ、その部位を間違うことなく停止させることができる。
【図面の簡単な説明】
【００３４】
【図１】本発明の実施例に係わる遊技機島正面図である。
【図２】本発明の実施例に係わる遊技機島を示した平面図である。
【図３】本発明の実施例に係わる遊技機島を示した側面図である。
【図４】本発明の実施例に係わる要部正面図である。
【図５】本発明における表示部の一例を示した正面図である。
【符号の説明】
【００３５】
１００…遊技機島
１…研磨揚送装置
２…遊技機
３…パチンコ玉貸機
４…水平補給レール
５…水平搬送装置
６…パチンコ玉貯溜・搬送装置
７…駆動モータ
８…パチンコ玉
９３…表示部
Ｌ（Ｒ）…サブユニット島
Ｌ（Ｒ）１…中間枠体
Ｌ（Ｒ）２…上部枠体
Ｌ（Ｒ）３…下部枠体
【図１】
0004675582.tif 000002
【図２】
0004675582.tif 000003
【図３】
0004675582.tif 000004
【図４】
0004675582.tif 000005
【図５】
0004675582.tif 000006